(57)【要約】【課題】  迅速に分析結果が得られるとともに、試験片の大きさを抑え、分析に要するコストが低廉となるような、体液成分分析装置および体液成分分析方法を提供する。【解決手段】  本発明に係る体液成分分析装置１００は、試験片１０に設けられた測定室１３における、体液中の分析対象物と試薬との呈色反応の吸光度を測定して、体液成分を分析する体液成分分析装置であって、試験片１０の測定室１３に光を照射する照射部２０と、複数の受光素子が二次元平面に配列されてなる二次元撮像素子３１を有し、測定室１３を含み二次元的な広がりを有する受光範囲Ｊから発せられる光を受ける受光部３０と、受光素子ごとに得られた光強度を演算して測定室１３における吸光度を算出する演算手段５０とを備える。【選択図】  図２
2014098645.tif 000002
【特許請求の範囲】
【請求項１】
試験片に設けられた測定室における、体液中の分析対象物と試薬との呈色反応の吸光度を測定して、体液成分を分析する体液成分分析装置であって、
前記試験片の前記測定室に光を照射する照射部と、
複数の受光素子が二次元平面に配列されてなる二次元撮像素子を有し、前記測定室を含み二次元的な広がりを有する受光範囲から発せられる光を受ける受光部と、
前記受光素子ごとに得られた光強度を演算して前記測定室における吸光度を算出する演算手段とを備える
ことを特徴とする体液成分分析装置。
【請求項２】
前記照射部が、
所定の波長の光を発する発光ダイオードからなる光源と、
前記光源と前記試験片との間に配置された拡散板とを有する
ことを特徴とする請求項１に記載の体液成分分析装置。
【請求項３】
前記試験片に前記測定室が複数設けられており、
複数の前記測定室を包含し、二次元的な広がりを有する照射範囲を前記照射部が照射する
ことを特徴とする請求項２に記載の体液成分分析装置。
【請求項４】
前記測定室のうち正常な領域を透過した光を受けた受光素子のみを選択する正常部選択規則を記憶する記憶部をさらに備え、
前記演算手段が、前記受光範囲の光を受光した前記受光素子の中から、前記正常部選択規則に基づき選択された一部における光強度の平均値により、前記測定室における吸光度を算出する
ことを特徴とする請求項３に記載の体液成分分析装置。
【請求項５】
前記記憶部が、ダーク値を選定するダーク値選定規則を記憶し、
前記演算手段が、前記受光範囲の光を受光した前記受光素子の光強度の中から、前記ダーク値選定規則に基づきダーク値を選定し、前記受光範囲の光を受光した全ての前記受光素子の光強度から前記ダーク値を一律に減算して補正する
ことを特徴とする請求項４に記載の体液成分分析装置。
【請求項６】
前記試験片にバーコードが設けられており、
前記受光部が前記バーコードから発せられる光を受光して前記バーコードを読み取る
ことを特徴とする請求項１〜５のいずれかに記載の体液成分分析装置。
【請求項７】
試験片に設けられた測定室における、体液中の分析対象物と試薬との呈色反応の吸光度を測定して、体液成分を分析する体液成分分析方法であって、
前記試験片の前記測定室に光を照射するステップと、
前記測定室を含み二次元的な広がりを有する受光範囲から発せられる光を、複数の受光素子が二次元平面に配列されてなる受光部で受光するステップと、
前記受光素子ごとに得られた光強度を演算して前記測定室における吸光度を算出するステップとを備える
ことを特徴とする体液成分分析方法。
【請求項８】
前記吸光度を算出するステップが、
前記受光範囲の光を受光した前記受光素子の中から、前記測定室の正常な領域を透過した光を受けた受光素子のみを選択するステップと、
選択された前記受光素子おける光強度の平均値により、前記測定室における吸光度を算出するステップとを備える
ことを特徴とする請求項７に記載の体液成分分析方法。
【請求項９】
前記吸光度を算出するステップが、
前記受光範囲の光を受光した前記受光素子の光強度の中から、ダーク値を選定するステップと、
前記受光範囲の光を受光した全ての前記受光素子の光強度から、前記ダーク値を一律に減算して補正するステップとをさらに備える
ことを特徴とする請求項８に記載の体液成分分析方法。
【発明の詳細な説明】
【技術分野】
【０００１】
この発明は、例えばグルコース、中性脂肪、尿酸、コレステロール、ＨｂＡ１ｃなどの生体の体液成分を分析する体液成分分析装置および体液成分分析方法に関する。
【背景技術】
【０００２】
従来の体液成分分析装置として、体液試料を測定室で試薬と反応するよう構成された試験片を用い、その測定室で起こる呈色反応を光学的に測定することにより、体液成分を分析する装置が知られている（特許文献１参照）。特許文献１に係る体液成分分析装置は、試験片の測定室に光を照射する発光部と、測定室を透過した透過光を受光する受光部と、透過光に基づき吸光度を演算する演算手段とを備えている。
【０００３】
特許文献１に係る体液成分分析装置は、測定室の複数点において吸光度を測定し、複数点において得られた吸光度を適宜に選択・平均化することによって、例えば測定室内に気泡などが存在した場合でも、測定室の適正な吸光度を演算し、体液成分が分析可能となるよう構成されている。そのため、試験片の測定室にピンポイントで光を照射する発光部と、測定室のピンポイントを透過した透過光を受光する受光部とが一体となり、測定室の領域内を、駆動手段により移動しつつ測定することによって、一つの測定室の複数点における吸光度を測定するよう構成されている。そして、試験片には複数の測定室が設けられており、各測定室について、複数点における吸光度を測定するよう構成されており、一つの試験片で複数の体液成分を分析することができる。
【０００４】
しかし、上述の分析装置では、一つの測定室における分析結果を算出するために、駆動手段によるごく僅かな移動、および照射・受光・演算のサイクルを、複数回繰り返す必要があり、そのため、迅速に分析結果を得ることが困難となっていた。そして、複数の測定室を備える試験片については、一つの測定室での測定が終わるたびに、次の測定室まで発光部と受光部とを移動させ、その測定室で移動・照射・受光・演算のサイクルを繰り返す必要があり、分析が終了するまでに多くの時間を必要としていた。また、複数点において吸光度を測定可能に構成しようとすると、測定室をある程度大きくする必要が生じる。そして複数の測定室を有する試験片の場合、測定室を大きくすると試験片全体が大きくなりコストが増加するという問題があった。一方、測定室を小さくすると、駆動手段について、ごく僅かな移動距離の制御が必要となるという問題があった。
【先行技術文献】
【特許文献】
【０００５】
【特許文献１】特開２０１０−２７６４４４号公報
【発明の概要】
【発明が解決しようとする課題】
【０００６】
本発明が解決しようとする課題は、迅速に分析結果が得られるとともに、試験片の大きさを抑え、分析に要するコストが低廉となるような、体液成分分析装置および体液成分分析方法を提供することである。
【課題を解決するための手段】
【０００７】
本発明は、上述の課題を解決するためになされたもので、請求項１に係る発明は、試験片に設けられた測定室における、体液中の分析対象物と試薬との呈色反応の吸光度を測定して、体液成分を分析する体液成分分析装置であって、前記試験片の前記測定室に光を照射する照射部と、複数の受光素子が二次元平面に配列されてなる二次元撮像素子を有し、前記測定室を含み二次元的な広がりを有する受光範囲から発せられる光を受ける受光部と、前記受光素子ごとに得られた光強度を演算して前記測定室における吸光度を算出する演算手段とを備えることを特徴とする体液成分分析装置である。
【０００８】
請求項１に係る発明によれば、試験片に対して照射部および受光部を動かすことなく測定室の吸光度を測定することができ、迅速に分析結果が得られるような、体液成分の分析が可能な体液成分分析装置を提供することができる。
【０００９】
請求項２に係る発明は、前記照射部が、所定の波長の光を発する発光ダイオードからなる光源と、前記光源と前記試験片との間に配置された拡散板とを有することを特徴とする請求項１に記載の体液成分分析装置である。
【００１０】
請求項２に係る発明によれば、低コストで所定の波長を有する光を照射することが可能となり、ＳＮ比が高く、高精度の体液成分分析装置を提供することができる。
【００１１】
請求項３に係る発明は、前記試験片に前記測定室が複数設けられており、複数の前記測定室を包含し、二次元的な広がりを有する照射範囲を前記照射部が照射することを特徴とする請求項２に記載の体液成分分析装置である。
【００１２】
請求項３に係る発明によれば、複数の測定室について同時に吸光度を算出することにより、同時に複数の成分を分析することが可能な体液成分分析装置を提供することができる。
【００１３】
請求項４に係る発明は、前記測定室のうち正常な領域を透過した光を受けた受光素子のみを選択する正常部選択規則を記憶する記憶部をさらに備え、前記演算手段が、前記受光範囲の光を受光した前記受光素子の中から、前記正常部選択規則に基づき選択された一部における光強度の平均値により、前記測定室における吸光度を算出することを特徴とする請求項３に記載の体液成分分析装置である。
【００１４】
請求項４に係る発明によれば、測定室における正常でない部分を除外した上で吸光度を算出することにより、適正な分析をすることが可能な体液成分分析装置を提供することができる。
【００１５】
請求項５に係る発明は、前記記憶部が、ダーク値を選定するダーク値選定規則を記憶し、前記演算手段が、前記受光範囲の光を受光した前記受光素子の光強度の中から、前記ダーク値選定規則に基づきダーク値を選定し、前記受光範囲の光を受光した全ての前記受光素子の光強度から前記ダーク値を一律に減算して補正することを特徴とする請求項４に記載の体液成分分析装置である。
【００１６】
請求項５に係る発明によれば、試験片を複数回撮像することなくダーク補正を行うことができ、迅速に適正な分析結果を得ることが可能な体液成分分析装置を提供することができる。
【００１７】
請求項６に係る発明は、前記試験片にバーコードが設けられており、前記受光部が前記バーコードから発せられる光を受光して前記バーコードを読み取ることを特徴とする請求項１〜５のいずれかに記載の体液成分分析装置である。
【００１８】
請求項６に係る発明によれば、試験片の個体を識別するとともに、試料を提供した被験者を識別するような管理が容易な体液成分分析装置を提供することができる。
【００１９】
請求項７に係る発明は、試験片に設けられた測定室における、体液中の分析対象物と試薬との呈色反応の吸光度を測定して、体液成分を分析する体液成分分析方法であって、前記試験片の前記測定室に光を照射するステップと、前記測定室を含み二次元的な広がりを有する受光範囲から発せられる光を、複数の受光素子が二次元平面に配列されてなる受光部で受光するステップと、前記受光素子ごとに得られた光強度を演算して前記測定室における吸光度を算出するステップとを備えることを特徴とする体液成分分析方法である。
【００２０】
請求項７に係る発明によれば、試験片に対して照射部および受光部を動かすことなく測定室の吸光度を測定することができ、迅速に分析結果が得られるような、体液成分の分析が可能な体液成分分析方法を提供することができる。
【００２１】
請求項８に係る発明は、前記吸光度を算出するステップが、前記受光範囲の光を受光した前記受光素子の中から、前記測定室の正常な領域を透過した光を受けた受光素子のみを選択するステップと、選択された前記受光素子おける光強度の平均値により、前記測定室における吸光度を算出するステップとを備えることを特徴とする請求項７に記載の体液成分分析方法である。
【００２２】
請求項８に係る発明によれば、測定室における正常でない部分を除外した上で吸光度を算出することにより、適正な分析をすることが可能な体液成分分析方法を提供することができる。
【００２３】
請求項９に係る発明は、前記吸光度を算出するステップが、前記受光範囲の光を受光した前記受光素子の光強度の中から、ダーク値を選定するステップと、前記受光範囲の光を受光した全ての前記受光素子の光強度から、前記ダーク値を一律に減算して補正するステップとをさらに備えることを特徴とする請求項８に記載の体液成分分析方法である。
【００２４】
請求項９に係る発明によれば、試験片を複数回撮像することなくダーク補正を行うことができ、迅速に適正な分析結果を得ることが可能な体液成分分析方法を提供することができる。
【発明の効果】
【００２５】
本発明によれば、試験片に対して照射部および受光部を動かすことなく測定室の吸光度を測定することができ、迅速に分析結果が得られるような、体液成分の分析が可能な体液成分分析装置および方法を提供することができる。
【図面の簡単な説明】
【００２６】
【図１】本発明に係る体液成分分析装置を用いて体液成分を分析する際に用いる試験片を示す正面図である。
【図２】本発明に係る体液成分分析装置の実施形態を示す図であって、試験片をセットした状態における部分断面側面図である。
【図３】本発明に係る体液成分分析装置の実施形態において、機能を示すブロック図である。
【図４】図３における矢視Ａ−Ａを示す矢視図であり、二次元撮像素子と試験片の一つの測定室を透過して到達した光とを表す模式図である。
【図５】図４における断面Ｂ−Ｂで示す一列の受光素子における光強度を表すグラフである。
【図６】図４における断面Ｂ−Ｂで示す一列の受光素子における光強度を表すグラフであって、（ａ）は主波長λｍの光を照射した場合、（ｂ）は副波長λｓの光を照射した場合である。
【図７】本発明に係る体液成分分析装置を用いて体液成分を分析する際に用いる試験片の他の例を示す斜視図である。
【発明を実施するための形態】
【００２７】
次に、本発明の実施形態について図面に基づき説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００２８】
（試験片）
まず、本発明に係る体液成分分析装置とともに用いる試験片の構成について、図１に基づき説明する。試験片１０は、特許文献１に記載された試験片と同様に構成されており、供給された体液試料を測定室に移送して、試験片１０に設けられた試薬とで呈色反応を起こし、その呈色反応が光学的に測定可能となるよう構成されている。
【００２９】
したがって、試験片１０は、体液試料を供給する供給口１１、体液試料の移送経路となる流路１２、および流路１２を介して供給口１１に連通し、体液試料が移送され呈色反応が起こる測定室１３を備えている。体液試料は押圧や吸引など適宜の方法により、供給口１１から測定室に移送される。なお、体液試料に含まれる成分と呈色反応を起こす試薬（図示省略）が、供給口１１から測定室１３までの間にいずれかの場所に設けられている。
【００３０】
試験片１０はプレート１４およびプレート１５が結合されて構成されており、供給口１１はプレート１４に設けられており、流路１２および測定室１３はプレート１５の内部に設けられている。プレート１５は、測定室１３が光学的に測定可能となるよう、測定室１３が設けられている場所においては光透過性を有するよう透明であり、測定室１３以外の場所では光が透過しないよう、黒色に着色されている。図１に示す試験片１０には、略円形の透明な測定室１３が１２個設けられており、１２の異なる成分を分析可能に構成されている。
【００３１】
なお、試験片１０のプレート１４にはバーコード１６が付されている。このバーコード１６を用いて試験片１０個体が識別され、また、このバーコード１６により試料を提供した被験者が識別されるよう管理される。バーコード１６として、一次元または二次元バーコードの、いずれも使用可能である。
【００３２】
（体液成分分析装置）
次に、本発明に係る体液成分分析装置の実施形態について、図２，３に基づき説明する。体液成分分析装置１００は、試験片１０の測定室１３に向けて光を照射するとともに、測定室１３を透過した透過光を受光し、この光強度に基づき、測定室１３における吸光度を求めるよう構成されており、試験片１０に光を照射する照射部２０、および試験片１０から発せられる光を受光する受光部３０を備えている。また、図３に示すように、光強度に基づき吸光度を演算する演算手段として機能するとともに、装置全体を制御するＣＰＵ５０、吸光度を演算する際の規則などを記憶し、受光部３０が受けた光強度の情報を記憶する記憶部６０、および分析結果を表示する表示部７０を備えている。また、この体液成分分析装置１００は、試験片１０を加温するヒータ９０を備えており、これにより反応に適切な温度条件が保たれる。
【００３３】
照射部２０は、筐体２１を有し、その内部には、密集して配置された砲弾型ＬＥＤ（発光ダイオード）からなる光源２２，２３，２４と、互いに離隔して設けられた拡散板２５，２６とを備える。光源２２，２３，２４から発せられる光は、拡散板２５，２６を介して試験片１０に到達するよう構成されており、これによりほぼ平行光を試験片１０に照射することが可能となる。そして照射される範囲は、二次元的な広がりを有する。また、砲弾型ＬＥＤを使用することにより、低コストで所定の波長の光を照射可能な照射部２０を構成することが可能となる。なお、照射部２０は、少なくとも二波長の光を照射可能に構成されており、光源２２，２３が主波長λｍの光を、光源２４が副波長λｓの光を発するよう選択されている。そして、光源２２，２３と光源２４とは、別々に点灯するよう制御される。なお、主波長λｍおよび副波長λｓの説明については後述する。
【００３４】
受光部３０は、試験片１０を挟み照射部２０に対向して配置されている。受光部３０は、二次元撮像素子３１とレンズ３２とを有し、二次元的な受光範囲Ｊから発せられる光を受光（撮像）するよう構成されている。二次元撮像素子３１は、レンズ３２を介して試験片１０の片面を撮像することにより、受光範囲Ｊ内に入っている試験片１０の部分から発せられる光を受光する。なお、二次元撮像素子３１が撮像する受光範囲Ｊは、照射部２０が照射する面の反対側の面であり、照射部２０から発せられ測定室１３を透過する光も補足するよう構成されている。二次元撮像素子３１は、複数の受光素子が二次元平面に配列されてなり、受光素子ごとに光強度を検知する。なお、二次元撮像素子３１としては、ＣＣＤイメージセンサ、ＣＭＯＳイメージセンサなどが好適に用いられる。
【００３５】
なお、図２に示す受光範囲Ｊは、測定室１３が配置されている領域の面積より狭く設定されており、一度の撮像で試験片１０の測定室１３の全てをカバーすることはできない。そこで、駆動手段（図２においては図示省略）を用いて、受光範囲Ｊに対して試験片１０を相対的に動かすことにより（図２における左右方向）、測定室１３が配置されている領域を分割して撮像することが可能になり、これによって測定室１３の全てをカバーできるよう構成されている。駆動手段は、ラックアンドピニオンなど、適宜の装置により構成することができる。
【００３６】
また、試験片１０にはバーコード１６が付されているが、二次元撮像素子３１により読み取るよう構成することが可能である。その場合、バーコード１６が受光範囲Ｊに入るように、受光範囲Ｊに対して試験片１０を相対的に移動させる上述の駆動手段を用いることが可能である。なお、試験片１０の測定室１３の全ておよびバーコード１６が両方とも受光範囲Ｊに入る場合には、駆動手段は必要としない。
【００３７】
また、上述の実施形態では、照射部２０の光源が複数の砲弾型ＬＥＤから構成されているが、これに代えて複数波長の光を照射するチップＬＥＤを採用することも可能である。このように構成すれば、装置のサイズを小さくすることができ、また光の向きについて細かく調整する必要がない。
【００３８】
さらに、上述の実施形態では、照射部２０は、拡散板２５，２６を用いることにより、ほぼ平行光を試験片１０に照射するよう構成されている。この理由は、照射部２０の照射領域に一様な光強度の光を照射することにより、照射領域内に存在する各測定室１３について一様にＳＮ比を高めて、高精度な測定結果を得ることができるという点にある。したがって、拡散板２５，２６を用いることは、好適ではあるが必須ではない。拡散板２５，２６を用いない場合、ブランク補正を行うことにより精度を補償することが可能である。ブランク補正は、測定室１３の形状を模擬したダミーの試験片からの光を受光することにより、または試験片を全く使用することなく照射部２０からの光を受光することにより、補正情報を取得し、この補正情報に基づいて分析結果を補正することにより行われる。
【００３９】
次に、本実施形態に係る体液成分分析装置１００内における情報のやり取りについて、図３に示すブロック図に基づき説明する。体液成分分析装置１００は、既に説明した照射部２０、受光部３０、試験片１０に対して受光部３０を相対的に移動させる駆動部４０、受光部３０の受けた光強度に基づき吸光度を演算するとともに、装置全体を制御するＣＰＵ５０、吸光度を演算する際の規則などを記憶し、受光部が受けた光強度の情報を記憶する記憶部６０、および分析結果を表示する表示部７０を主たる構成要素とする。そしてこれらの要素はバス８０を介して情報を伝達する。
【００４０】
（吸光度の算出）
ここで受光部３０が受光した光強度に基づき、測定室１３の吸光度を算出する手順について、図４に基づき説明する。図４は、図３における矢視Ａ−Ａで撮像素子を見た矢視図であって、試験片１０の一つの測定室１３を透過して受光部３０の二次元撮像素子３１に到達した光を表す模式図である。境界Ｂで囲まれる円が、測定室１３を透過して受光部３０の二次元撮像素子３１に到達した光を表す。境界Ｂで囲まれる円内に完全に入っている受光素子Ｐｉ（濃いハッチングで示す）は、測定室１３の透過光を検知することになる。図４に示すように、多数の受光素子Ｐｉが透過光を受けるため、一度の照射で測定室１３の複数個所における光強度を検知し、吸光度を得ることが可能となる。そしてこの複数箇所における光強度を使用して、測定室の適正な吸光度を算出することが可能となる。
【００４１】
なお、境界Ｂ上に乗っている受光素子Ｐｅ（薄いハッチングで示す）は、受光素子の一部にのみ光が照射されるため、その光強度は受光素子Ｐｅの光強度より低い。境界Ｂより外側の受光素子Ｐｏについては、光を受けない（ただし後述のようにダーク値が検知される場合がある）。そのため、測定室１３の適正な吸光度を算出するためには、受光素子Ｐｅ，Ｐｏが受光した光を除外した上で演算を行う必要がある。
【００４２】
受光素子Ｐｅ，Ｐｏが受光した光を除外して、受光素子Ｐｉが受光した光を選択する方法について、図５を用いて説明する。図５は、図４の断面Ｂ−Ｂで示す一列の受光素子における光強度を表すグラフである。図５に示すように、受光素子Ｐｉでは透過光を受光するため、高い光強度が検知される。受光素子Ｐｏでは測定室１３の透過光は検出されないものの、ダーク値が検知される。そして、受光素子Ｐｅでは、その光強度はＰｉとＰｏとの間の値となる。したがって、あらかじめ設定しておいた数値範囲から外れるような光強度を検知した受光素子を、受光素子Ｐｅまたは受光素子Ｐｏと判断して、測定室１３の吸光度の算出から除外する。そして、受光素子Ｐｉが受光した光強度を平均することにより、測定室１３の吸光度を算出することが可能となる。
【００４３】
この時、受光素子Ｐｉが受光した光強度から、受光素子Ｐｏが受光した、ダーク値たる光強度を減算する「ダーク補正」を施してから、測定室１３の吸光度を算出することができる。これにより、試験片を照射した場合と遮光した場合の二回の撮像を必要とすることなく、一回の撮像で適正な吸光度を測定することが可能となる。ダーク値たる光強度は、複数の測定室１３同士の中間点を選択するなど、適宜な方法で、光を透過しない場所における光強度を用いることができる。
【００４４】
なお、吸光度の算出から除外する受光素子Ｐｅ，Ｐｏを選定するために設定しておく数値範囲は、絶対値として規定することも可能であり、最も高レベルの光強度（Ｌｉ）を基準に規定することも可能である。この数値範囲は、記憶部６０に記憶されており、ＣＰＵ５０により読み出され、演算される。また、ダーク補正を行うためのダーク値を選定する規則もまた、記憶部６０に記憶されており、ＣＰＵ５０により読み出され、ダーク補正がなされる。
【００４５】
なお、ＣＣＤイメージセンサやＣＭＯＳイメージセンサのような二次元撮像素子において、暗電流に起因するノイズが発生する場合がある。そのノイズをキャンセルするため、試験片を照射した場合の試験片の画像を撮像した後、遮光した場合の試験片の画像を撮像し、照射した場合の画像から遮光した場合の画像を減算することにより、ダーク補正することも可能である。
【００４６】
また、本実施形態に係る体液成分分析器具を用いれば、測定室１３内に気泡が存在する場合でも、気泡の部分を除外して、測定室１３の正常な領域を透過した光のみを用いて吸光度を算出することが可能である。その方法を図６に基づき説明する。図６は、図４の断面Ｂ−Ｂで示す一列の受光素子における光強度を表すグラフであって、（ａ）が主波長λｍの光を照射した場合、（ｂ）が副波長λｓの光を照射した場合である。なお、主波長λｍは、測定室１３で起こる呈色反応の吸光帯に属する波長であり、副波長λｓは、呈色反応の吸光帯に属さない波長である。図６の領域Ｖにおいて、主波長λｍの光強度は、その周辺の光強度Ｌｉｍより高くなっており、その一方で、副波長λｓの光強度は、その周辺の光強度Ｌｉｓより低くなっている。この傾向は、領域Ｖにおいて大きな気泡が存在することを示唆している。すなわち、主波長λｍについては大きな気泡において色抜けの状態のために透過量が増加し、副波長λｓについては大きな気泡の内側界面による光の反射が起こり、透過量が減少する。このように、大きな気泡が存在する領域においては、主波長λｍと副波長λｓとでは、透過光の光強度が逆の傾向を示す。
【００４７】
そこで、気泡が存在する領域Ｖの光強度は除外して、測定室１３の吸光度を算出する。そのためには、あらかじめ設定しておいた数値範囲から外れるような光強度を検知した受光素子の領域であって、主波長λｍと副波長λｓとで傾向が逆になる領域を、気泡が存在する領域Ｖとして判断し、測定室１３の吸光度の算出から除外する。そして領域Ｖ以外の受光素子Ｐｉが受光した光強度を平均することにより、測定室１３の吸光度を算出することが可能となる。なお、領域Ｖを決めるための数値範囲は、絶対値として規定することも可能であり、また最も高レベルの光強度（Ｌｉｍ，Ｌｉｓ）を基準に規定することも可能である。上述の数値範囲は、正常部選択規則として記憶部６０に記憶されており、ＣＰＵ５０により読み出され、この正常部選択規則に沿って演算される。
【００４８】
また、大きな気泡が存在する場合とは対照的に、主波長λｍと副波長λｓとで光強度分布の傾向が合致する場合、すなわち、ある領域において主波長λｍと副波長λｓとでともに光強度が減少している場合には、その領域に異物が存在して光の透過が阻害されていることが示唆される。そのため、その領域については、大きな気泡が存在する領域Ｖと同様の方法で、測定室１３の吸光度の算出から除外する。
【００４９】
なお、副波長λｓは、測定室の呈色反応の色素に吸光されないため、本来測定室１３の吸光度はゼロになるはずであるが、実際は小さな気泡による反射により透過する光が減少し、吸光度が増加する。そして小さな気泡による吸光度の増加は、主波長λｍについても発生している。したがって、主波長λｍの吸光度から副波長λｓの吸光度を減算することにより、小さな気泡による吸光度の増加分を除外した吸光度を算出することができる。
【００５０】
本発明に係る体液成分分析装置を用いて気泡の部分を除外して吸光度を算出する方法は、特許文献１に記載の方法とは異なり、照射部および受光部をごく僅かに移動させて照射・受光するサイクルを繰り返す必要がなく、迅速に測定結果を得ることができる。
【００５１】
なお、上述の説明においては、測定室における適正な吸光度を求める方法について説明した。ここで、受光部は二次元撮像素子を用いているため、一度に複数の測定室を撮像することができる。そのため、同時に複数の測定室の吸光度を測定する、すなわち、体液試料に含まれる複数の成分について同時に分析することが可能となる。勿論、各々の測定室について適正な吸光度を算出するため適宜な補正を行うことも可能である。
【００５２】
各測定室において分析対象となる体液成分が異なれば、発生する呈色反応も異なる。そして主波長λｍおよび副波長λｓは、呈色反応に応じて選定される。そのため、各測定室の呈色反応についてカバーできるよう、複数の砲弾型ＬＥＤを用いて、光源が複数の波長の光を照射できるよう構成することが好適である。例えば、λ＝４５０ｎｍ，５７０ｎｍ，６３０ｎｍ，８１０ｎｍの四波長を、それぞれの測定室について主波長および副波長として適宜に選択して照射するよう構成することができる。
【００５３】
また、本実施形態についての説明では、吸光度算出の際に除外する受光素子を選択するための規則を説明するために、図５，６に示したように一列に並んだ受光素子を取り上げたが、実際には受光素子が二次元的に配列されているため、二次元平面における光強度を比較することにより、吸光度算出の際に除外する受光素子を選択する。
【００５４】
（試験片の他の例）
なお、先の説明における、図１に示した試験片１０は、積層されて構成されたプレート１５の内部に、予め試薬が配置された測定室１３を有するよう構成されたものであった。しかし、本発明に係る体液成分分析装置１００で使用できる試験片はこれに限られず、例えば、図７に示すように構成された試験片１１０を使用することも可能である。この試験片１１０は、測定室に導入した体液試料に液体の試薬を加えて呈色反応を生じさせ、その呈色反応を光学的に測定可能となるよう構成されている。
【００５５】
図７に示す試験片１１０は、全体が光透過性を有する樹脂により構成され、その内部に測定室１１３が設けられている。そして、体液試料が供給される供給口１１１、試薬を導入する試薬導入口１１７、および測定室の空気を抜く空気孔１１８が設けられている。供給口１１１は流路１１２を介して測定室１１３に連通しており、試薬導入口１１７および空気孔１１８も、それぞれ測定室１１３に連通している。
【００５６】
測定室１１３において呈色反応を起こすには、まず供給口１１１に体液試料を供給し、測定室１１３に体液試料を導く。その次に、液体の試薬を試薬流入口から液体の試薬を導入する。そして、体液試料と液体の試薬とを混合して、測定室１１３にて呈色反応を起こさせる。なお、測定室１１３内の空気は空気孔１１８から排出されるため、体液試料および液体の試薬は抵抗なく測定室１１３に導入される。また、体液試料および液体の試薬を測定室１１３に導入する順序は、逆でもよい。
【００５７】
測定室１１３における呈色反応を、本発明に係る体液成分分析装置１００で光学的に測定する方法は、試験片１０を用いた場合と同様である。すなわち、図２に示す試験片１０に代えて、試験片１１０を体液成分分析装置１００に配置して、これを用いて測定室１１３の吸光度を測定すればよい。
【００５８】
なお、図７に示す試験片１１０は測定室１１３を二つ備えており、体液成分の二つの異なる項目について測定することが可能である。供給口１１１に供給された体液試料は、流路１１２で分岐して二つの測定室１１３に流入するように構成されているが、試薬については、それぞれの測定室１１３に連通する試薬導入口１１７から、それぞれ異なる液体の試薬が導入されるよう構成されている。なお、測定室１１３の数は適宜に変更可能である。
【符号の説明】
【００５９】
１０              試験片
１６              バーコード
２０              照射部
２２，２３，２４  光源
２５              拡散板
３０              受光部
３１              二次元撮像素子
５０              ＣＰＵ（演算手段）
６０              記憶部
１００            体液成分分析装置
λｍ              主波長
λｓ              副波長
【図１】
2014098645.tif 000003
【図２】
2014098645.tif 000004
【図３】
2014098645.tif 000005
【図４】
2014098645.tif 000006
【図５】
2014098645.tif 000007
【図６】
2014098645.tif 000008
【図７】
2014098645.tif 000009